(57)【要約】      （修正有）【課題】分電盤の端子台の端子に容易に接続できて外れ難く金属部分の露出を低減して電気的絶縁を確保できるテストリードアタッチメントを提供する。【解決手段】テストリードアタッチメントは、分電盤の盤内配線の充電部の電気量を計測する計測器のテストリードの先端部に接続される中継接続部１８が電線１７の一端に設けられ、分電盤の充電部の電気量を計測する際に分電盤の端子台の端子に接続されるマグネット部１９が電線１７の他端に設けられ、絶縁カバー２０は、中継接続部１８がテストリードの先端部に接続されたときテストリードの先端部の金属部及び中継接続部を覆い、被覆体２１は、マグネット部の端子台の端子方向部分だけを露出させて、それ以外の部分を被覆する。【選択図】図１
0003224921.tif 000002
【実用新案登録請求の範囲】
【請求項１】
電線の一端に設けられ分電盤の盤内配線の充電部の電気量を計測する計測器のテストリードの先端部に接続される中継接続部と、
前記中継接続部が前記テストリードの先端部に接続されたとき前記テストリードの先端部の金属部及び前記中継接続部を覆う絶縁カバーと、
前記電線の他端に設けられ前記分電盤の充電部の電気量を計測する際に前記分電盤の端子台の端子に接続されるマグネット部と、
前記マグネット部の前記端子台の端子方向部分だけ露出させそれ以外の部分を被覆した被覆体と、
を備えたことを特徴とするテストリードアタッチメント。
【請求項２】
前記中継接続部は、前記計測器のテストリードの先端部がミノムシクリップであるときに、前記ミノムシクリップが把持できる棒鋼であることを特徴とする請求項１に記載のテストリードアタッチメント。
【考案の詳細な説明】
【技術分野】
【０００１】
本考案は、計測器に取り付けられたテストリードと分電盤の端子台の端子との間に接続されるテストリードアタッチメントに関する。
【背景技術】
【０００２】
分電盤の盤内配線の充電部の電圧や電流などを計測する計測器は、テストリードの先端部を盤内配線の端子台の端子に接続し、充電部の電圧や電流を計測器に取り込み充電部の電圧や電流を計測している。テストリードの先端部が針状プローブであるプローブテストリードの場合には、針状プローブを盤内配線の端子台の端子に接触させ、充電部の電圧や電流をテストリードを介して測定器に取り込み充電部の電圧や電流を計測している。プローブテストリードの場合は、プローブを持ちながらの作業となるため作業性が悪い。
【０００３】
そこで、テストリードの先端部がミノムシクリップであるミノムシクリップテストリードを用いて、充電部の電圧や電流を測定することもある。図４はミノムシクリップテストリードを有した計測器の説明図である。計測器１１にはテストリード１２が接続されており、テストリード１２の先端部にはミノムシクリップ１３が取り付けられている。分電盤の充電部の電圧や電流を測定するには、分電盤の端子台１４の端子１５の頭部にミノムシクリップ１３を把持する。この場合は、電圧や電流などの測定時には、そのミノムシクリップ１３を端子台１４の端子の頭部を把持することになるので、ミノムシクリップ１３を持ちながらの作業とはならない。
【０００４】
一方、分電盤前方から見て速結端子で構成された負荷側端子が横を向き、検査用差込孔も同様に横を向いている状態でも電圧チェックを容易に実施できるようした電圧計測用治具がある（特許文献１参照）。
【先行技術文献】
【特許文献】
【０００５】
【特許文献１】特開２０１７−８３１７９号公報
【考案の概要】
【考案が解決しようとする課題】
【０００６】
しかし、図４に示すテストリード１２の先端部にミノムシクリップ１３が取り付けられている計測器の場合は、ミノムシクリップ１３は端子台１４の端子１５の頭部を把持するだけとなるので、何かのきっかけでミノムシクリップ１３が外れてしまうことがある。また、端子台１３の端子がボルト形状の端子である場合は、端子の頭部が大きすぎてミノムシクリップ１３で把持しきれない場合がある。図４では端子がボルト形状のボルト端子である場合を示している。
【０００７】
また、特許文献１のものでは、電圧測定器から延びた一対のプローブを保持部材に保持された２つのフレーム金具にそれぞれ接続するため、作業者が左右の手で２本のプローブを操作する煩わしい操作は必要なくなるが、一対のプローブを片手で操作しなければならないので、片手の操作での端子電圧の計測となる。
【０００８】
本考案の目的は、分電盤の端子台の端子に容易に接続できて外れ難く金属部分の露出を低減して電気的絶縁を確保できるテストリードアタッチメントを提供することである。
【課題を解決するための手段】
【０００９】
請求項１の考案に係るテストリードアタッチメントは、電線の一端に設けられ分電盤の盤内配線の充電部の電気量を計測する計測器のテストリードの先端部に接続される中継接続部と、前記中継接続部が前記テストリードの先端部に接続されたとき前記テストリードの先端部の金属部及び前記中継接続部を覆う絶縁カバーと、前記電線の他端に設けられ前記分電盤の充電部の電気量を計測する際に前記分電盤の端子台の端子に接続されるマグネット部と、前記マグネット部の前記端子台の端子方向部分だけ露出させそれ以外の部分を被覆した被覆体とを備えたことを特徴とする。
【００１０】
請求項２の考案に係るテストリードアタッチメントは、請求項１の考案において、前記計測器のテストリードの先端部がミノムシクリップであるときに、前記ミノムシクリップが把持できる棒鋼であることを特徴とする。
【考案の効果】
【００１１】
請求項１の考案に係るテストリードアタッチメントによれば、分電盤の端子台の端子に接続されるマグネット部を備えるので、分電盤の端子台の端子に容易に接続できて外れ難い。従って作業効率が向上する。また、計測器のテストリードの先端部に接続される中継接続部がテストリードの先端部に接続されたときテストリードの先端部の金属部及び中継接続部を覆う絶縁カバーと、マグネット部の端子台の端子方向部分だけ露出させそれ以外の部分を被覆した被覆体とを備えているので、金属部分の露出を低減して電気的絶縁を確保でき安全性が向上する。
【００１２】
請求項２の考案に係るテストリードアタッチメントによれば、請求項１の考案の効果に加え、計測器のテストリードの先端部に接続される中継接続部は、ミノムシクリップが把持できる棒鋼であるので、計測器のテストリードの先端部がミノムシクリップであるときに容易にテストリードの先端部の接続ができる。
【図面の簡単な説明】
【００１３】
【図１】本考案の実施形態に係るテストリードアタッチメントの構成図。
【図２】図１に示した本考案の実施形態に係るテストリードアタッチメントの中継接続部及びマグネット部の正面図。
【図３】本考案の実施形態に係るテストリードアタッチメントを計測器に適用した場合の説明図。
【図４】テストリードの先端部がミノムシクリップとなっているテストリードを有した計測器の説明図。
【考案を実施するための形態】
【００１４】
以下、本考案の実施形態を説明する。図１は本考案の実施形態に係るテストリードアタッチメントの構成図である。本考案の実施形態に係るテストリードアタッチメントは、計測器のテストリードの先端部と分電盤内の端子台の端子との間に接続される計測器の付属装置であり、テストリードの先端部と端子台の端子との接続が容易で安全性を高めたものである。
【００１５】
図１において、本考案の実施形態に係るテストリードアタッチメント１６は、図４に示すテストリードの先端部がミノムシクリップ１３であるテストリードに適用されるものである。本考案の実施形態に係るテストリードアタッチメント１６は、電線１７の一端に中継接続部１８が設けられ、電線１７の他端にマグネット部１９が設けられている。中継接続部１８は計測器のテストリードの先端部に接続され、マグネット部１９は分電盤の端子台の端子に接続される。
【００１６】
中継接続部１８は絶縁カバー２０で覆われており、絶縁カバー２０は中継接続部１８がテストリードの先端部に接続されたとき、テストリードの先端部の金属部及び中継接続部１８を覆う。図１ではラッパ型の絶縁カバー２０を示している。このように、テストリードの先端部の金属部及び中継接続部１８が露出しない構造としたので、テストリードの先端部の金属部が中継接続部１８以外に接触することが防止でき短絡事故を防止できる。図１では、中継接続部１８は、計測器のテストリードの先端部がミノムシクリップであるときに、ミノムシクリップが把持できる棒鋼である場合を示している。中継接続部１８ある棒鋼は、先端に掛止部を有しミノムシクリップが棒鋼を把持したとき外れにくくしている。
【００１７】
また、マグネット部１９は被覆体２１で被覆されており、被覆体２１はマグネット部１９の端子台の端子方向部分だけ露出させそれ以外の部分を被覆している。このように、端子台の端子に取り付けた際にマグネット部１９（金属部分）が露出しない構造としたので、マグネット部１９が端子台の端子以外に接触することが防止でき短絡事故を防止できる。図１では、マグネット部１９は、端子台の端子がボルト端子に適合したものを示している。
【００１８】
図２は、図１に示した本考案の実施形態に係るテストリードアタッチメントの中継接続部１８及びマグネット部１９の正面図であり、図２（ａ）は中継接続部１８の正面図、図２（ｂ）はマグネット部１９の正面図である。
【００１９】
図２（ａ）に示すように、中継接続部１８はミノムシクリップが把持できる棒鋼であり、この棒鋼をミノムシクリップで把持することになる。棒鋼は絶縁カバー２０から突出しない位置に配置されているので、ミノムシクリップで棒鋼を把持した状態ではミノムシクリップの金属部及び棒鋼は絶縁カバー２０の外部に露出しない。従って、ミノムシクリップの金属部が棒鋼以外に接触することを防止できるので、隣り合うミノムシクリップ同士が接触することを防止でき短絡事故を防止できる。
【００２０】
図２（ｂ）に示すように、マグネット部１９の先端部はフラットに形成されている。これは、ボルト端子の頭部がフラットであることから、マグネット部１９の先端部もフラットに形成し、マグネット部１９の先端部が端子台のボルト端子の頭部に適切に吸引するようにするためである。これにより、マグネット部１９はボルト端子に磁力により適切に吸引することになる。マグネット部１９は被覆体２１から突出しない位置に配置されているので、マグネット部１９がボルト端子に吸引された状態ではマグネット部１９は端子台の端子（ボルト端子）以外に接触することはない。従って、マグネット部１９が端子台の端子以外に接触することを防止できるので短絡事故を防止できる。
【００２１】
図３は、本考案の実施形態に係るテストリードアタッチメントを計測器に適用した場合の説明図である。図３では図４に示すテストリードの先端部がミノムシクリップであるミノムシクリップテストリードを有した計測器に適用した場合を示している。
【００２２】
図３に示すように、テストリードアタッチメント１６は、計測器１１のテストリードの先端部のミノムシクリップ１３と分電盤の端子台１４の端子１５との間に接続される。まず、計測器１１のテストリードの先端部のミノムシクリップ１３で、テストリードアタッチメント１６の中継接続部１８（絶縁カバー２０で覆われている棒鋼）を把持する。ミノムシクリップ１３は端子台１４の端子１５を把持するのではなく、テストリードアタッチメント１６の中継接続部１８（絶縁カバー２０で覆われている棒鋼）を把持するので、把持し易く外れることもない。また、ミノムシクリップ１３がテストリードアタッチメント１６の中継接続部１８（絶縁カバー２０で覆われている棒鋼）を把持した状態ではミノムシクリップ１３の金属部及び棒鋼は絶縁カバー２０の外部に露出しない。従って、ミノムシクリップ１３の金属部が棒鋼以外に接触することを防止できるので短絡事故を防止できる。
【００２３】
また、マグネット部１９（被覆体２１で被覆されている）は端子台１４の端子（ボルト端子）に磁力により吸引し接続される。従って、外れることなく接続できる。マグネット部１９は被覆体２１から突出しない位置に配置されているので、マグネット部１９がボルト端子に吸引された状態ではマグネット部１９は端子台の端子（ボルト端子）以外に接触することはない。従って、マグネット部１９が端子台の端子（ボルト端子）以外に接触することを防止できるので短絡事故を防止できる。
【００２４】
以上の説明では、中継接続部１８は、計測器１１のテストリード１２の先端部がミノムシクリップ１３である場合について説明したが、計測器１１のテストリード１２の先端部が針状プローブであるときは、中継接続部１８は、棒鋼に代えて、針状プローブを把持する鰐口クリップ、あるいは針状プローブを差し込む差込口とする。
【００２５】
また、以上の説明では、端子台１４の端子１５がボルト端子であり、マグネット部１９はそのボルト端子に適合したものである場合について説明したが、端子台１４の端子１５がビス端子である場合は、マグネット部１９はビス端子に適合したものとする。具体的には、マグネット部１９の先端部の形状をビス端子の頭部の形状に適合したものとする。ビス端子の頭部の形状は丸みを帯びた凸形状であるので、マグネット部１９の先端部の形状は凸形状の適合したドーム形状とする。マグネット部１９がビス端子に吸引された状態でマグネット部１９が端子台の端子（ビス端子）以外に接触することはなく、マグネット部１９を被覆体２１で被覆した状態となる。これにより、テストリードアタッチメントを介して、計測器１１のテストリードの先端の針状プローブと端子台１４の端子１５との接続を容易に行い安全性を高めることができる。
【００２６】
以上、本考案の実施形態を説明したが、この実施形態は、例として提示したものであり、考案の範囲を限定することは意図していない。この新規な実施形態は、その他の様々な形態で実施されることが可能であり、考案の要旨を逸脱しない範囲で、種々の省略、置き換え、変更を行うことができる。この実施形態やその変形は、考案の範囲や要旨に含まれるとともに、実用新案登録請求の範囲に記載された考案とその均等の範囲に含まれる。
【符号の説明】
【００２７】
１１…計測器、１２…テストリード、１３…ミノムシクリップ、１４…端子台、１５…端子、１６…テストリードアタッチメント、１７…電線、１８…中継接続部、１９…マグネット部、２０…絶縁カバー、２１…被覆体
【図１】
0003224921.tif 000003
【図２】
0003224921.tif 000004
【図３】
0003224921.tif 000005
【図４】
0003224921.tif 000006